(57)【特許請求の範囲】
【請求項１】
操作台を含み、前記操作台の下端面の四角には支持脚が位置的に対称に且つ固定的に設けられ、前記操作台の上端面には昇降装置が設けられ、前記昇降装置は前記操作台の上端面に位置的に左右対称に固定的に設けられた支持ブロックを含み、左右両側にある前記支持ブロックの上端には同一の固定板が固定的に設けられ、前記固定板の中心には固定ブロックが前記固定板を貫通するように固定的に設けられ、前記固定ブロックの下端が外部まで延びており、前記固定ブロックの上端面には上方に開口したスライド道が設けられ、前記スライド道には第一スライドロッドが上下にスライドできるように設けられ、前記第一スライドロッドの上端が外部まで延びており且つ取っ手と固定され、前記スライド道の下壁には下方に開口した昇降空間が前記スライド道と連通するように設けられ、前記第一スライドロッドの下端が前記昇降空間の中に延びており且つ昇降ブロックと固定され、前記昇降ブロックが前記昇降空間の中で上下にスライドでき、
前記固定板の下方にはサイズ調節装置が設けられ、前記サイズ調節装置は前記固定ブロックの前後端面に位置的に前後対称に固定的に設けられた固定棒を含み、前記固定棒において前記固定ブロックから離れた一端には第一スライドブロック箱が固定的に設けられ、前記第一スライドブロック箱の中には第一調節空間が設けられ、前記第一調節空間の上壁の中心には第二モーターが固定的に設けられ、前記第二モーターの左右両端には第一ねじロッドが伝動できるように且つ位置的に対称に連結され、
前記昇降ブロックの下方には切断装置が設けられ、前記切断装置は前記昇降ブロックの下端面に固定的に設けられた第一モーターを含み、前記第一モーターの下端において前記昇降ブロックの下方には回転盤が伝動できるように連結され、第二スライドロッドは前記回転盤を左右に貫通しており且つ左右にスライドでき、
前記昇降装置は、前記スライド道の側壁に前記スライド道と連通するように設けられた位置制限空間を含み、前記位置制限空間の側壁には第一位置制限ブロックが固定的に設けられ、前記第一スライドロッドの側面において前記位置制限空間の中には第二位置制限ブロックが固定的に設けられ、前記スライド道の側壁において前記位置制限空間の下方には歯車空間が前記スライド道と連通するように設けられ、前記第一スライドロッドの側面において前記歯車空間の中には歯車が固定的に設けられており、
前記歯車空間の下壁には前記歯車と噛合できる歯溝が前記歯車空間と連通するように形成され、力付けて前記取っ手を押すとき、前記第二位置制限ブロックが前記第一スライドロッドにつれて前記第一位置制限ブロックの下方まで下へスライドし、このとき前記歯車が前記第一スライドロッドにつれて下限位置までスライドして前記歯溝と噛合し、
前記サイズ調節装置は、前後両側の前記第一調節空間の下壁に前記第一調節空間と連通するように設けられた第一スライドブロック空間を含み、前記第一スライドブロック空間が互いに向いて開口しており、前記第一スライドブロック空間の左右壁の間にはスライドレールが固定的に設けられ、前記スライドレールには二つの第一調節ブロックが位置的に左右対称に且つ左右にスライドできるように設けられ、前記第一調節ブロックの上端が前記第一ねじロッドとねじ山によって連結され、
前記スライドレールにおいて前記第一調節ブロックの間には第一スライドブロックが左右にスライドできるように設けられ、前後両側にある前記第一スライドブロックにおいて互いに向いている側面の間には第二スライドレールが固定的に設けられ、前記第二スライドレールには第二スライドブロックが前後にスライドできるように設けられており、
前記第一調節空間において対称中心に近接する側の内壁にはスライド溝が前記第一調節空間と連通するように形成され、前記スライド溝が互いに向いて開口しており、前記スライド溝の中には連結スライドブロックが左右にスライドできるように設けられ、前後両側の前記連結スライドブロックにおいて対称中心から離れた一端が隣接する前記第一調節ブロックと固定的に連結され、
前後両側の前記連結スライドブロックにおいて対称中心に近接する一端には同一の第二スライドブロック箱が固定的に設けられ、前記第二スライドブロック箱の下端面には下方に開口した第二調節空間が設けられ、前記第二調節空間の上壁の中心には第三モーターが固定的に設けられ、前記第三モーターの前後両端には第二ねじロッドが位置的に対称に且つ伝動できるように連結され、前記第二ねじロッドにおいて前記第二スライドブロックの前後両側には第二調節ブロックが位置的に対称に且つねじ山によって連結され、前記第二調節ブロックの下端が外部まで延びており、
前記切断装置は、前記第二スライドロッドの左端に固定的に設けられた第三位置制限ブロックを含み、前記第三位置制限ブロックが前記回転盤の左側に位置し、前記第二スライドロッドの右端において前記回転盤の右側には懸垂連結ブロックが固定的に設けられ、前記懸垂連結ブロックと前記回転盤とはばねによって連結され、
前記懸垂連結ブロックの右端面の下端には回転連結ブロックが固定的に設けられ、前記回転連結ブロックの右端が前記第二スライドブロックの上端面に回転できるように連結され、前記第二スライドブロックの下端面の中心には切断部品が固定的に設けられ、前記第一スライドブロックが左限位置または右限位置にスライドし且つ前記第一調節ブロックと当接したとき、前記第二調節ブロックの下端が前後にスライドする前記第二スライドブロックの上端と当接でき、
ガラスを前記操作台の上端面に置いて固定し、前記第二モーターが作動し前記第一ねじロッドを回転させ、ねじ山連結によって前記第一調節ブロックを左右にスライドさせ、前記第三モーターが作動し前記第二ねじロッドを回転させ、ねじ山連結によって前記第二調節ブロックを前後にスライドさせ、切断予定のサイズに応じて前記第一調節ブロックと前記第二調節ブロックとの位置を調整し、手で力付けて前記取っ手を押し、前記第一スライドロッドが下限位置までスライドし、前記第二位置制限ブロックが前記第一スライドロッドにつれて前記第一位置制限ブロックの下方までスライドし、このとき前記歯車が前記第一スライドロッドにつれて下限位置まで下へスライドして前記歯溝と噛合し、前記第一スライドロッドが固定され、ガラスを切断するときに前記第一スライドロッドのズレにより精度に影響することを防止し、このとき前記昇降ブロックと前記回転盤が下限位置まで下へスライドし、前記切断部品の下端がガラスと当接することを特徴とするガラス矩形切断機。
【発明の詳細な説明】
【技術分野】
【０００１】
本願発明はガラス切断設備技術分野を取り上げて、具体的にはガラス矩形切断機である。
【背景技術】
【０００２】
ガラスは優れた光透過率と簡単に加工できる特性により、現在もさまざまな産業で使用されている。従来のガラスを矩形に切断する装置のほとんどは、一定のサイズの矩形にしか切断できなく、適用範囲が小さい。切断する矩形のサイズを変えるには、対応するサイズの装置を改めて製造する必要があり、非常に不便である。本願発明は、上記の問題を解決できる。
【先行技術文献】
【特許文献】
【０００３】
【特許文献１】中国特許出願公開第１０３３４２４６０号明細書
【発明の概要】
【発明が解決しようとする課題】
【０００４】
技術問題：従来のガラスを矩形に切断する装置のほとんどは、一定のサイズの矩形にしか切断できなく、適用範囲が小さく、製造における多様性に対するニーズに満たせない。
【課題を解決するための手段】
【０００５】
上記の課題を解決するため、本願発明は以下の技術プランを採用する：ガラス矩形切断機は、操作台を含み、前記操作台の下端面の四角には支持脚が位置的に対称に且つ固定的に設けられ、前記操作台の上端面には昇降装置が設けられ、前記昇降装置は前記操作台の上端面に位置的に左右対称に固定的に設けられた支持ブロックを含み、左右両側にある前記支持ブロックの上端には同一の固定板が固定的に設けられ、前記固定板の中心には固定ブロックが前記固定板を貫通するように固定的に設けられ、前記固定ブロックの下端が外部まで延びており、前記固定ブロックの上端面には上方に開口したスライド道が設けられ、前記スライド道には第一スライドロッドが上下にスライドできるように設けられ、前記第一スライドロッドの上端が外部まで延びており且つ取っ手と固定され、前記スライド道の下壁には下方に開口した昇降空間が前記スライド道と連通するように設けられ、前記第一スライドロッドの下端が前記昇降空間の中に延びており且つ昇降ブロックと固定され、前記昇降ブロックが前記昇降空間の中で上下にスライドでき、前記固定板の下方にはサイズ調節装置が設けられ、前記サイズ調節装置は前記固定ブロックの前後端面に位置的に前後対称に固定的に設けられた固定棒を含み、前記固定棒において前記固定ブロックから離れた一端には第一スライドブロック箱が固定的に設けられ、前記第一スライドブロック箱の中には第一調節空間が設けられ、前記第一調節空間の上壁の中心には第二モーターが固定的に設けられ、前記第二モーターの左右両端には第一ねじロッドが伝動できるように且つ位置的に対称に連結され、前記昇降ブロックの下方には切断装置が設けられ、前記切断装置は前記昇降ブロックの下端面に固定的に設けられた第一モーターを含み、前記第一モーターの下端において前記昇降ブロックの下方には回転盤が伝動できるように連結され、第二スライドロッドは前記回転盤を左右に貫通しており且つ左右にスライドできる。
【０００６】
前記昇降装置は、前記スライド道の側壁に前記スライド道と連通するように設けられた位置制限空間を含み、前記位置制限空間の側壁には第一位置制限ブロックが固定的に設けられ、前記第一スライドロッドの側面において前記位置制限空間の中には第二位置制限ブロックが固定的に設けられ、前記スライド道の側壁において前記位置制限空間の下方には歯車空間が前記スライド道と連通するように設けられ、前記第一スライドロッドの側面において前記歯車空間の中には歯車が固定的に設けられている。
【０００７】
優選の技術プランとして、前記歯車空間の下壁には前記歯車と噛合できる歯溝が前記歯車空間と連通するように形成され、力付けて前記取っ手を押すとき、前記第二位置制限ブロックが前記第一スライドロッドにつれて前記第一位置制限ブロックの下方まで下へスライドし、このとき前記歯車が前記第一スライドロッドにつれて下限位置までスライドして前記歯溝と噛合する。
【０００８】
前記サイズ調節装置は、前後両側の前記第一調節空間の下壁に前記第一調節空間と連通するように設けられた第一スライドブロック空間を含み、前記第一スライドブロック空間が互いに向いて開口しており、前記第一スライドブロック空間の左右壁の間にはスライドレールが固定的に設けられ、前記スライドレールには二つの第一調節ブロックが位置的に左右対称に且つ左右にスライドできるように設けられ、前記第一調節ブロックの上端が前記第一ねじロッドとねじ山によって連結され、前記スライドレールにおいて前記第一調節ブロックの間には第一スライドブロックが左右にスライドできるように設けられ、前後両側にある前記第一スライドブロックにおいて互いに向いている側面の間には第二スライドレールが固定的に設けられ、前記第二スライドレールには第二スライドブロックが前後にスライドできるように設けられている。
【０００９】
優選の技術プランとして、前記第一調節空間において対称中心に近接する側の内壁にはスライド溝が前記第一調節空間と連通するように形成され、前記スライド溝が互いに向いて開口しており、前記スライド溝の中には連結スライドブロックが左右にスライドできるように設けられ、前後両側の前記連結スライドブロックにおいて対称中心から離れた一端が隣接する前記第一調節ブロックと固定的に連結され、前後両側の前記連結スライドブロックにおいて対称中心に近接する一端には同一の第二スライドブロック箱が固定的に設けられ、前記第二スライドブロック箱の下端面には下方に開口した第二調節空間が設けられ、前記第二調節空間の上壁の中心には第三モーターが固定的に設けられ、前記第三モーターの前後両端には第二ねじロッドが位置的に対称に且つ伝動できるように連結され、前記第二ねじロッドにおいて前記第二スライドブロックの前後両側には第二調節ブロックが位置的に対称に且つねじ山によって連結され、前記第二調節ブロックの下端が外部まで延びている。
【００１０】
前記切断装置は、前記第二スライドロッドの左端に固定的に設けられた第三位置制限ブロックを含み、前記第三位置制限ブロックが前記回転盤の左側に位置し、前記第二スライドロッドの右端において前記回転盤の右側には懸垂連結ブロックが固定的に設けられ、前記懸垂連結ブロックと前記回転盤とはばねによって連結され、前記懸垂連結ブロックの右端面の下端には回転連結ブロックが固定的に設けられ、前記回転連結ブロックの右端が前記第二スライドブロックの上端面に回転できるように連結され、前記第二スライドブロックの下端面の中心には切断部品が固定的に設けられ、前記第一スライドブロックが左限位置または右限位置にスライドし且つ前記第一調節ブロックと当接したとき、前記第二調節ブロックの下端が前後にスライドする前記第二スライドブロックの上端と当接できる。
【発明の効果】
【００１１】
本願発明は、製造のニーズに応じて、調節装置の位置制限ブロックを調節し、切断するガラスの矩形のサイズを調節でき、適用範囲が広く、実用性が高い。コストを節約し、経済効率を向上させることで、企業に発展と増産の可能性を提供できる。
【図面の簡単な説明】
【００１２】
下記に図１〜６をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１３】
【図１】図１は本願発明の全体構成略図
【図２】図２は図１のＡ―Ａ方向の断面図
【図３】図３は図２のＢ―Ｂ方向の断面図
【図４】図４は図１のＣ―Ｃ方向の断面図
【図５】図５は図１のＤ―Ｄ方向の断面図
【図６】図６は図１のＥの拡大略図
【発明を実施するための形態】
【００１４】
本願発明であるガラス矩形切断機は、主にガラスを矩形に切断する作業に適用され、以下に本願発明の付図と合わせて本願発明を説明する。
【００１５】
ガラス矩形切断機は、操作台１１を含み、前記操作台１１の下端面の四角には支持脚１２が位置的に対称に且つ固定的に設けられ、前記操作台１１の上端面には昇降装置１０１が設けられ、前記昇降装置１０１は前記操作台１１の上端面に位置的に左右対称に固定的に設けられた支持ブロック１３を含み、左右両側にある前記支持ブロック１３の上端には同一の固定板１４が固定的に設けられ、前記固定板１４の中心には固定ブロック１５が前記固定板１４を貫通するように固定的に設けられ、前記固定ブロック１５の下端が外部まで延びており、前記固定ブロック１５の上端面には上方に開口したスライド道１６が設けられ、前記スライド道１６には第一スライドロッド１７が上下にスライドできるように設けられ、前記第一スライドロッド１７の上端が外部まで延びており且つ取っ手１８と固定され、前記スライド道１６の下壁には下方に開口した昇降空間２５が前記スライド道１６と連通するように設けられ、前記第一スライドロッド１７の下端が前記昇降空間２５の中に延びており且つ昇降ブロック２６と固定され、前記昇降ブロック２６が前記昇降空間２５の中で上下にスライドでき、前記固定板１４の下方にはサイズ調節装置１０２が設けられ、前記サイズ調節装置１０２は前記固定ブロック１５の前後端面に位置的に前後対称に固定的に設けられた固定棒３５を含み、前記固定棒３５において前記固定ブロック１５から離れた一端には第一スライドブロック箱３６が固定的に設けられ、前記第一スライドブロック箱３６の中には第一調節空間３７が設けられ、前記第一調節空間３７の上壁の中心には第二モーター３８が固定的に設けられ、前記第二モーター３８の左右両端には第一ねじロッド３９が伝動できるように且つ位置的に対称に連結され、前記昇降ブロック２６の下方には切断装置１０３が設けられ、前記切断装置１０３は前記昇降ブロック２６の下端面に固定的に設けられた第一モーター２７を含み、前記第一モーター２７の下端において前記昇降ブロック２６の下方には回転盤５２が伝動できるように連結され、第二スライドロッド２８は前記回転盤５２を左右に貫通しており且つ左右にスライドできる。
【００１６】
前記昇降装置１０１は、前記スライド道１６の側壁に前記スライド道１６と連通するように設けられた位置制限空間１９を含み、前記位置制限空間１９の側壁には第一位置制限ブロック２０が固定的に設けられ、前記第一スライドロッド１７の側面において前記位置制限空間１９の中には第二位置制限ブロック２１が固定的に設けられ、前記スライド道１６の側壁において前記位置制限空間１９の下方には歯車空間２２が前記スライド道１６と連通するように設けられ、前記第一スライドロッド１７の側面において前記歯車空間２２の中には歯車２３が固定的に設けられている。
【００１７】
有益に、前記歯車空間２２の下壁には前記歯車２３と噛合できる歯溝２４が前記歯車空間２２と連通するように形成され、力付けて前記取っ手１８を押すとき、前記第二位置制限ブロック２１が前記第一スライドロッド１７につれて前記第一位置制限ブロック２０の下方まで下へスライドし、このとき前記歯車２３が前記第一スライドロッド１７につれて下限位置までスライドして前記歯溝２４と噛合する。
【００１８】
前記サイズ調節装置１０２は、前後両側の前記第一調節空間３７の下壁に前記第一調節空間３７と連通するように設けられた第一スライドブロック空間４０を含み、前記第一スライドブロック空間４０が互いに向いて開口しており、前記第一スライドブロック空間４０の左右壁の間にはスライドレール４１が固定的に設けられ、前記スライドレール４１には二つの第一調節ブロック４２が位置的に左右対称に且つ左右にスライドできるように設けられ、前記第一調節ブロック４２の上端が前記第一ねじロッド３９とねじ山によって連結され、前記スライドレール４１において前記第一調節ブロック４２の間には第一スライドブロック４３が左右にスライドできるように設けられ、前後両側にある前記第一スライドブロック４３において互いに向いている側面の間には第二スライドレール５１が固定的に設けられ、前記第二スライドレール５１には第二スライドブロック３３が前後にスライドできるように設けられている。
【００１９】
有益に、前記第一調節空間３７において対称中心に近接する側の内壁にはスライド溝４４が前記第一調節空間３７と連通するように形成され、前記スライド溝４４が互いに向いて開口しており、前記スライド溝４４の中には連結スライドブロック４５が左右にスライドできるように設けられ、前後両側の前記連結スライドブロック４５において対称中心から離れた一端が隣接する前記第一調節ブロック４２と固定的に連結され、前後両側の前記連結スライドブロック４５において対称中心に近接する一端には同一の第二スライドブロック箱４６が固定的に設けられ、前記第二スライドブロック箱４６の下端面には下方に開口した第二調節空間４７が設けられ、前記第二調節空間４７の上壁の中心には第三モーター４８が固定的に設けられ、前記第三モーター４８の前後両端には第二ねじロッド４９が位置的に対称に且つ伝動できるように連結され、前記第二ねじロッド４９において前記第二スライドブロック３３の前後両側には第二調節ブロック５０が位置的に対称に且つねじ山によって連結され、前記第二調節ブロック５０の下端が外部まで延びている。
【００２０】
前記切断装置１０３は、前記第二スライドロッド２８の左端に固定的に設けられた第三位置制限ブロック２９を含み、前記第三位置制限ブロック２９が前記回転盤５２の左側に位置し、前記第二スライドロッド２８の右端において前記回転盤５２の右側には懸垂連結ブロック３０が固定的に設けられ、前記懸垂連結ブロック３０と前記回転盤５２とはばね３１によって連結され、前記懸垂連結ブロック３０の右端面の下端には回転連結ブロック３２が固定的に設けられ、前記回転連結ブロック３２の右端が前記第二スライドブロック３３の上端面に回転できるように連結され、前記第二スライドブロック３３の下端面の中心には切断部品３４が固定的に設けられ、前記第一スライドブロック４３が左限位置または右限位置にスライドし且つ前記第一調節ブロック４２と当接したとき、前記第二調節ブロック５０の下端が前後にスライドする前記第二スライドブロック３３の上端と当接できる。
【００２１】
以下に付図と合わせて本願発明の使用手順を説明する。
【００２２】
初期状態に、第一スライドロッド１７と取っ手１８が上限位置にあり、第二位置制限ブロック２１が上限位置にあり且つ第一位置制限ブロック２０の上方に位置し、歯車２３が上限位置にあり且つ歯溝２４と噛み合っていなく、昇降ブロック２６が上限位置にあり、第二スライドブロック３３が第二スライドレール５１の中央に位置し、ばね３１の作用により第一スライドブロック４３が右側の第一調節ブロック４２と当接している。
【００２３】
作業時に、ガラスを操作台１１の上端面に置いて固定し、第二モーター３８が作動し第一ねじロッド３９を回転させ、ねじ山連結によって第一調節ブロック４２を左右にスライドさせ、第三モーター４８が作動し第二ねじロッド４９を回転させ、ねじ山連結によって第二調節ブロック５０を前後にスライドさせ、切断予定のサイズに応じて第一調節ブロック４２と第二調節ブロック５０との位置を調整し、手で力付けて取っ手１８を押し、第一スライドロッド１７が下限位置までスライドし、第二位置制限ブロック２１が第一スライドロッド１７につれて第一位置制限ブロック２０の下方までスライドし、このとき歯車２３が第一スライドロッド１７につれて下限位置まで下へスライドして歯溝２４と噛合し、第一スライドロッド１７が固定され、ガラスを切断するときに第一スライドロッド１７のズレにより精度に影響することを防止し、このとき昇降ブロック２６と回転盤５２が下限位置まで下へスライドし、切断部品３４の下端がガラスと当接し、第一モーター２７が作動し回転盤５２を回転させ、回転盤５２の回転により第二スライドロッド２８が回転し矩形の左端または右端を切断するとき、ばね３１の作用により第一スライドブロック４３と右側の第一調節ブロック４２の当接状態が維持され、第二スライドブロック３３が第二スライドレール５１で前後にスライドし、第二スライドブロック３３が第二調節ブロック５０の下端と当接するまでスライドしたとき矩形の前端または後端を切断しはじめ、第二スライドロッド２８が回転し第一スライドブロック４３を左右にスライドさせ、切断後、手で取っ手１８を上方へ引くことで本願発明を初期状態に戻すことができる。
【００２４】
以上の方式により、当業者は本願発明の範囲内で作業方法に応じて様々な変更を行える。
【要約】
【課題】本願発明はガラス矩形切断機を開示した。
【解決手段】
操作台を含み、前記操作台の下端面の四角には支持脚が位置的に対称に且つ固定的に設けられ、前記操作台の上端面には昇降装置が設けられ、前記昇降装置は前記操作台の上端面に位置的に左右対称に固定的に設けられた支持ブロックを含み、左右両側にある前記支持ブロックの上端には同一の固定板が固定的に設けられ、前記固定板の中心には固定ブロックが前記固定板を貫通するように固定的に設けられ、前記固定ブロックの下端が外部まで延びており、前記固定ブロックの上端面には上方に開口したスライド道が設けられ、前記スライド道には第一スライドロッドが上下にスライドできるように設けられている。
【選択図】図１【図１】
0006826705.tif 000002
【図２】
0006826705.tif 000003
【図３】
0006826705.tif 000004
【図４】
0006826705.tif 000005
【図５】
0006826705.tif 000006
【図６】
0006826705.tif 000007